【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
１以上のプロセッサと、
前記１以上のプロセッサに結合される通信インターフェースと、
命令を記憶するメモリと、
を有し、前記命令は前記１以上のプロセッサによる実行に応答して該１以上のプロセッサに、
照明システムの１以上の照明装置に関連する１以上の照明装置記録のデータベースに少なくとも部分的に基づいて前記照明システムの構成を確認させ、
前記確認された構成に基づいて、所定の基準が満たされていることを判定させ、
前記判定に応答して、前記照明システムに関連付けられた照明装置の非活性状態の照明装置機能の活性化を促す通知を、前記通信インターフェースを介して送出させる、計算装置であって、
前記非活性状態の照明装置機能は、前記照明装置に組み込まれているが活性化されるまで実行可能とならないルーチン又は状態マシンである、
計算装置。
【請求項２】
前記所定の基準が、前記照明システム内に存在する照明装置の閾数を有する、請求項１に記載の計算装置。
【請求項３】
前記所定の基準が、前記照明システム内に存在する特定の団体に関連付けられた照明装置の閾数を有する、請求項１に記載の計算装置。
【請求項４】
前記所定の基準が、前記照明システム内に存在する特定の照明装置機能を活性化させた照明装置の閾数を有する、請求項１に記載の計算装置。
【請求項５】
前記特定の照明装置機能が、乳幼児監視機能、セキュリティ監視機能、ユーザ入力検出機能、インターコム機能又はWi-Fiリピータ機能を有する、請求項４に記載の計算装置。
【請求項６】
前記特定の照明装置機能が、覚醒照明効果機能、常夜灯機能、情報光機能、環境パラメータ感知機能、音響レンダリング若しくは記録機能又は音声認識機能を有する、請求項４に記載の計算装置。
【請求項７】
前記メモリが１以上の照明装置記録のデータベースを更に記憶する、請求項１に記載の計算装置。
【請求項８】
前記メモリが前記１以上のプロセッサによる実行に応答して該１以上のプロセッサに前記通知を遠隔計算装置に送信させる命令を更に記憶し、該通知が前記非活性状態の照明装置機能を活性化させるための前記遠隔計算装置のユーザ操作を促す、請求項１に記載の計算装置。
【請求項９】
前記遠隔計算装置がモバイル計算装置を有し、前記通知が該モバイル計算装置に前記非活性状態の照明装置機能を活性化するためにユーザにより操作することが可能なユーザインターフェースをレンダリングさせる、請求項８に記載の計算装置。
【請求項１０】
前記遠隔計算装置が前記照明システムを制御する照明システムブリッジを有する、請求項８に記載の計算装置。
【請求項１１】
前記遠隔計算装置が前記照明システムに関連付けられた他の照明装置を有する、請求項８に記載の計算装置。
【請求項１２】
前記メモリが前記１以上のプロセッサによる実行に応答して該１以上のプロセッサに前記通知を前記照明システムに関連付けられた前記照明装置又は該照明システムを制御する照明システムブリッジに送信させる命令を更に記憶し、該通知が前記非活性状態の照明装置機能を活性化させるためのコマンドを有する、請求項１に記載の計算装置。
【請求項１３】
前記メモリが、前記１以上のプロセッサによる実行に応答して該１以上のプロセッサに前記照明装置の前記非活性状態の照明装置機能の活性化を購入するためにユーザにより操作することが可能なユーザインターフェースをレンダリングさせる命令を更に記憶する、請求項１２に記載の計算装置。
【請求項１４】
前記メモリが、前記１以上のプロセッサによる実行に応答して該１以上のプロセッサに前記非活性状態の照明装置機能の活性化を反映するために前記データベースを更新させる命令を更に記憶する、請求項１３に記載の計算装置。
【請求項１５】
照明装置の１以上の非活性状態の照明装置機能の指示情報をモバイル計算装置により無線通信インターフェースを介して取得するステップと、
前記照明装置の非活性状態の照明装置機能を選択及び活性化するためのユーザ命令を、前記モバイル計算装置により該モバイル計算装置のユーザインターフェースを介して受けるステップと、
前記照明装置の前記非活性状態の照明装置機能を活性化させる通知を、前記モバイル計算装置により前記無線通信インターフェースを介して送出するステップと、
を有する、コンピュータにより実施される方法であって、
前記非活性状態の照明装置機能は、前記照明装置に組み込まれているが活性化されるまで実行可能とならないルーチン又は状態マシンである、方法。
【請求項１６】
前記送出するステップが、前記モバイル計算装置により前記照明装置又は該照明装置と通信する照明システムブリッジに、該照明装置の前記非活性状態の照明装置機能を活性化するためのコマンドを送信するステップを有する、請求項１５に記載のコンピュータにより実施される方法。
【請求項１７】
前記モバイル計算装置のタッチスクリーン上に、前記照明装置の前記非活性状態の照明装置機能の活性化を購入するためにユーザにより操作することが可能なユーザインターフェースをレンダリングするステップを更に有する、請求項１５に記載のコンピュータにより実施される方法。
【請求項１８】
前記ユーザインターフェースは更に前記ユーザにより前記非活性状態の照明装置機能が活性化される期間を選択するために操作することができ、前記送出するステップは、前記モバイル計算装置により前記照明装置又は該照明装置と通信する照明システムブリッジに、該照明装置の前記非活性状態の照明装置機能を活性化し、次いで前記期間の経過後に該照明装置機能を非活性化するためのコマンドを送信するステップを有する、請求項１７に記載のコンピュータにより実施される方法。
【請求項１９】
前記照明装置の１以上の非活性状態の照明装置機能の指示情報を取得するステップが、該照明装置の１以上の非活性状態の照明装置機能の指示情報を、該照明装置から前記モバイル計算装置により直接受信するステップを有する、請求項１５に記載のコンピュータにより実施される方法。
【請求項２０】
前記照明装置の１以上の非活性状態の照明装置機能の指示情報を取得するステップが、該照明装置の１以上の非活性状態の照明装置機能の指示情報を、該照明装置と通信する照明システムブリッジから前記モバイル計算装置により取得するステップを有する、請求項１５に記載のコンピュータにより実施される方法。
【請求項２１】
前記照明装置の１以上の非活性状態の照明装置機能の指示情報を取得するステップが、照明システムの１以上の照明装置に関連する１以上の照明装置記録のデータベースから該照明システムの構成情報を取得するステップを有する、請求項１５に記載のコンピュータにより実施される方法。
【請求項２２】
前記データベースが前記モバイル計算装置のメモリに記憶される、請求項２１に記載のコンピュータにより実施される方法。
【請求項２３】
１以上のＬＥＤ型光源と、
通信インターフェースと、
前記１以上のＬＥＤ型光源及び前記通信インターフェースに動作可能に結合されたコントローラと、
を有する照明装置であって、前記コントローラが、
当該照明装置が関連付けられた照明システムの１以上の照明装置に関連する１以上の照明装置記録のデータベースに少なくとも部分的に基づいて前記照明システムの構成を確認し、
前記確認された構成に基づいて、所定の基準が満たされていることを判定し、
前記判定に応答して、当該照明装置の非活性状態の照明装置機能を活性化し、
前記非活性状態の照明装置機能は、前記照明装置に組み込まれているが活性化されるまで実行可能とならないルーチン又は状態マシンである、
照明装置。
【請求項２４】
前記コントローラが、更に、前記通信インターフェースを介して他の照明装置に、該他の照明装置上の同一の非活性状態の照明装置機能を活性化するためのコマンドを供給する、請求項２３に記載の照明装置。
【請求項２５】
前記コントローラが、更に、前記照明装置機能を所定の期間後に非活性化する、請求項２３に記載の照明装置。
【請求項２６】
前記コントローラが、更に、所定の期間の間に前記通信インターフェースを介して照明装置機能更新通知が受信されない限り、前記照明装置機能を該所定の期間後に非活性化する、請求項２３に記載の照明装置。
【請求項２７】
前記コントローラが、更に、前記照明装置のネットワーク特性が変化されたと判定した場合に前記照明装置機能を非活性化する、請求項２３に記載の照明装置。
【請求項２８】
前記コントローラが、更に、前記照明システムの構成が前記所定の基準をもはや満たしていないと判定した場合に前記照明装置機能を非活性化する、請求項２３に記載の照明装置。
【請求項２９】
前記コントローラが、更に、ドングルの状態が変化されたと判定した場合に前記照明装置機能を非活性化する、請求項２３に記載の照明装置。
【請求項３０】
前記コントローラが、更に、
当該照明装置の１以上の非活性状態の照明装置機能の指示情報を、前記通信インターフェースを介して計算装置に供給し、
前記非活性状態の照明装置機能を活性化するためのコマンドを、前記通信インターフェースを介して受信し、
前記コマンドに応答して、前記非活性状態の照明装置機能を活性化する、
請求項２３に記載の照明装置。